(57)【要約】      （修正有）【課題】施設内への円滑な入場を促すことができるゲート装置を提供する。【解決手段】通路と平行に配置されたゲート本体１０に、前記通路に対して直交する方向に移動するフラッパ２０を取り付けたゲート装置１において、ゲート本体側面部１２に、通行人と対面することとなる正面部１３から上面部１５に向けて連続する湾曲部Ｗを設けた。この湾曲部Ｗによって構成される正面部の湾曲面Ｒに、進行方向を示す案内表示１７を設けることにより、湾曲状のラインに導かれて円滑にゲートを通過させることができる。【選択図】図１
2019016176.tif 000002
【特許請求の範囲】
【請求項１】
施設内への通路と平行に配置されたゲート本体（１０）に、前記通路に対して直交する方向に移動するフラッパ（２０）を取り付けて構成されたゲート装置（１）であって、前記通路に沿って延びるゲート本体側面部（１２）に、通行人と対面することとなる正面部（１３）から上面部（１５）に向けて連続する湾曲部（Ｗ）を設けたことを特徴とするゲート装置。
【請求項２】
前記湾曲部（Ｗ）において前記ゲート本体側面部（１２）と連続する前記正面部（１３）の領域（Ｒ）に、前記ゲート本体（１０）の背面部（１４）に向けて先細りする先細り部（１７ａ）を有する案内表示（１７）を設けたことを特徴とする請求項１に記載のゲート装置。
【請求項３】
前記湾曲部（Ｗ）において前記ゲート本体側面部（１２）と連続する前記正面部（１３）の領域（Ｒ）に、同一形状の表示（１８）を等間隔に設けたことを特徴とする請求項１又は請求項２に記載のゲート装置。
【請求項４】
前記ゲート本体（１０）の内側面部（１１）の下端部に、通過物の接地状態を認識するためのセンサ（Ｓ）を設け、該センサ（Ｓ）からの情報に基づいて前記フラッパ（２０）の開放維持時間が設定されるように構成したことを特徴とする請求項１〜請求項３の何れか１つの請求項に記載のゲート装置。  
【請求項５】
前記湾曲部（Ｗ）において前記ゲート本体側面部（１２）と連続する前記正面部（１３）の領域（Ｒ）に、カード媒体に保持された情報を読み取らせるための改札操作部（１９）を設けたことを特徴とする請求項１〜請求項４の何れか1つの請求項に記載のゲート装置。
【請求項６】
前記湾曲部（Ｗ）におけるゲート本体（１０）の内側面部（１１）と前記正面部（１３）との境界を曲面状にして手摺り部（Ｔ）とし、該手摺り部（Ｔ）の表面性状を前記改札操作部（１９）の表面性状と異ならせたことを特徴とする請求項５に記載のゲート装置。
【発明の詳細な説明】
【技術分野】
【０００１】
本発明は、通路を開閉するためのゲート装置に関し、特に、施設内への円滑な入場を促すことができるゲート装置に関する。
【背景技術】
【０００２】
遊園地や駅などの施設への入出路を開閉するためのゲート装置としては、通路と平行に配置されたゲート本体に、直角方向に向けて回動されるフラッパを取り付けたものが一般的である。
入場券などのカード情報に基づいて通過の許否を判定し、許可する場合は通路に直交する方向に位置するフラッパを、通路に沿った方向に向けて回動させることで、通路を開放するようにしている。
【０００３】
このようなゲート装置のゲート本体は、通路に沿って延びる側面部と、通行人に面する正面部と、その反対側の背面部と、カード情報を読み取らせるための改札操作部を備えた上面部と、からなる角形状のものが一般的である。
ゲート本体の側面部としては、特許文献１のような四角形状のもの、特許文献２のようなＬ型形状のもの、特許文献３のような中間部を突出させた凸形状のものなどが存在する。
【先行技術文献】
【特許文献】
【０００４】
【特許文献１】意匠登録第１５７１３１９号公報
【特許文献２】意匠登録第１５４３９５４号公報
【特許文献３】実用新案登録第３１６４２１６号公報
【発明の概要】
【発明が解決しようとする課題】
【０００５】
しかしながら、いずれのゲート装置も、ゲートに向かって進む際に対面することとなる正面部が直上に起立しており、通行人に対して威圧的なイメージを与えていた。
特に、フラッパが閉じた状態のときは、施設内への入場が拒否されているかの如き印象を与え、初めてのゲートに進入しようとする際には、緊張感が生じることもあった。
そこで、本発明は、施設内への入場を規制するというゲート本来の目的を実現しつつ、施設内への円滑な入場を促し、「またこの施設を訪れたい」という気持ちを起こさせることができるゲート装置の提供を目的とする。
【課題を解決するための手段】
【０００６】
上記課題を解決するために、本発明に係るゲート装置は、施設内への通路と平行に配置されたゲート本体に、前記通路に対して直交する方向に移動するフラッパを取り付けて構成されたゲート装置であって、前記通路に沿って延びるゲート本体側面部に、通行人と対面することとなる正面部から上面部に向けて連続する湾曲部を設けたことを特徴とするものである。
この場合、前記湾曲部において前記ゲート本体側面部と連続する前記正面部の領域に、前記ゲート本体の背面部に向けて先細りする先細り部を有する案内表示を設けてもよい。
【０００７】
また、前記湾曲部において前記ゲート本体側面部と連続する前記正面部の領域に、同一形状の表示を等間隔に設けてもよい。
また、前記ゲート本体の内側面部の下端部に、通過物の接地状態を認識するためのセンサを設け、該センサからの情報に基づいて前記フラッパの開放維持時間が設定されるようにしてもよい。  
【０００８】
前記湾曲部において前記ゲート本体側面部と連続する前記正面部の領域に、カード媒体に保持された情報を読み取らせるための改札操作部を設けてもよい。
この場合、前記湾曲部におけるゲート本体の内側面部と前記正面部との境界を曲面状にして手摺り部とし、該手摺り部の表面性状を前記改札操作部の表面性状と異ならせてもよい。
【発明の効果】
【０００９】
請求項１に係るゲート装置は、通路と平行に延びるゲート本体側面部の正面側に、正面部の中央から上面部に向けて連続する湾曲部を設けたので、湾曲状のラインを見ながらゲートを通過することで、施設内へとスムーズに導くことができる。
即ち、湾曲状のラインに導かれながらゲートを通過させることで、「施設内への入場を規制する」というゲート本来の目的が意識され難くなり、初めてのゲートを通過する際に抱きがちな緊張感を和らげることができる。
【００１０】
請求項２に係るゲート装置は、ゲート本体の正面部の中央から上面部に向かう湾曲状の領域に、背面部に向けて先細りする形状の案内表示（シール等）を設けたので、当該ゲートにおける進行方向を事前に知ることができる。これによって、ゲート通過がスムーズなものとなる。
請求項３に係るゲート装置は、ゲート正面の湾曲面に、同一形状の表示を等間隔に設けたので、正面から見た際に、その形状が上方に向かうにつれて縮んでいくように見える。
【００１１】
ゲート内に進入した際には、歩を進めるごとにその形状が伸びてゆくように見えるので、その視覚効果によって施設内部へとスムーズに導くことができる。奥に行くほど表示の形状が段階的に縮んで見えるので、文字を理解することができない者であっても、当該ゲートにおける進行方向を直観的に理解することができる。
また、同一形状の表示が段階的に変化して見えるので、「ゲートを通過する」という行為自体に楽しみを与え、施設内で得られる体験への期待感を醸成させることができる。
【００１２】
請求項４に係るゲート装置は、ゲート本体の内側面の下端部にセンサを設けたので、ゲートを通過するものの接地状態を検出できる。そのため、ゲートを通過する人の間隔、歩幅、車輪を有する付属物の有無などを検出することが可能となり、それに応じてフラッパの開閉制御を行うことで改札が円滑なものとなる。
改札時のトラブルが生じ難くなるので、混雑時の改札を円滑なものとすることができる。
【００１３】
請求項５に係るゲート装置は、ゲート本体の正面の湾曲面に改札操作部を設けたので、ゲートに進入する前に、改札のための操作方法を知ることができる。
カードの読取位置など、改札のための操作方法を事前に知っておくことができるので、初めてのゲートを通過する際の不安感を解消することができる。
【００１４】
請求項６に係るゲート装置は、湾曲部におけるゲート本体側面部と前記正面部との境界を曲面状にして手摺り部としたので、子供や高齢者であっても、安全にゲートを通過することができる。
また、手摺り部の表面性状を改札操作部の表面性状と異ならせたので、目の不自由な人でも円滑にゲートを通過することがきる。
【図面の簡単な説明】
【００１５】
【図１】本発明の第１実施形態に係るゲート装置を示す斜視図である。
【図２】上記ゲート装置のゲート本体の形状を示し、（ａ）は正面図、（ｂ）は右側面図、（ｃ）は平面図、（ｄ）は底面図である。
【図３】上記ゲート本体を通路側から見た状態を示す説明図であり、（ａ）はゲート閉鎖状態、（ｂ）は開放状態を示す。
【図４】上記ゲート装置を上から見た状態を示す説明図であり、（ａ）は閉鎖状態、（ｂ）は開放される状態を示す。
【図５】上記ゲート装置の案内表示を示し、（ａ）は正面側から見た状態、（ｂ）は上から見た状態を示す。
【図６】上記案内表示の例を示す説明図であり、（ａ）は案内表示として三角形状の図形を用いた場合、（ｂ）は逆ハート型の図形を用いた場合、（ｃ）はシールを等間隔に貼付した場合を示す。
【図７】上記ゲート装置の変形例として、（ａ）は通路の片側にのみ設置されるゲート装置を示し、（ｂ）はゲート本体の両側面部にフラッパを設けたゲート装置を示す。
【図８】上記ゲート装置の変形例としての固定式のゲート装置であり、（ａ）は正面図、（ｂ）は右側面図、（ｃ）はＡ矢視側面図、（ｄ）は平面図、（ｅ）はＢ−Ｂ矢視断面図、（ｆ）底面図である。
【図９】上記ゲート装置の変形例として、ゲート本体の内側面部と正面部との境界に手摺り部を構成したものを示し、（ａ）は正面図、（ｂ）は右側面図、（ｃ）は平面図、（ｄ）は底面図である。
【図１０】上記ゲート装置の変形例として、ゲート本体側面が円形のものを示し、（ａ）は正面図、（ｂ）は右側面図、（ｃ）は平面図、（ｄ）は底面図である。
【図１１】上記ゲート装置の変形例として、ゲート本体側面がＵ字を上下反転させた形状のものを示し、（ａ）は正面図、（ｂ）右側面図、（ｃ）は平面図、（ｄ）は底面図である。
【図１２】上記ゲート装置の変形例として、楕円を上半分に切断した形状のゲート本体側面部とし、立上げ部を縦方向に長い形状とした固定型のゲート装置を示し、（ａ）は正面図、（ｂ）は右側面図、（ｃ）は平面図、（ｄ）は底面図である。
【図１３】上記ゲート装置の変形例として、ゲート本体側面を意匠性の高い形状としたゲート装置を示し、（ａ）は正面図、（ｂ）は右側面図、（ｃ）は平面図、（ｄ）は底面図である。
【図１４】上記ゲート装置の変形例として、ゲート本体側面の正面部側にのみ湾曲部を設けたゲート装置を示し、（ａ）は正面図、（ｂ）は背面図、（ｃ）は右側面図、（ｄ）は平面図、（ｅ）は底面図である。
【図１５】上記ゲート装置の変形例として、ゲート本体の正面部側の外側面にのみ湾曲部を設けたゲート装置を示し、（ａ）は正面図、（ｂ）は左側面図、（ｃ）は右側面図、（ｄ）は平面図、（ｅ）は底面図である。
【図１６】上記ゲート装置の変形例として、ゲート本体の背面部を樹木に模した形状とし、木製の門扉をイメージして製造されたゲート装置を示し、（ａ）は正面図、（ｂ）は背面図、（ｃ）は右側面図、（ｄ）は平面図、（ｅ）は底面図である。
【発明を実施するための形態】
【００１６】
図１は、本発明に係るゲート装置１を示す斜視図である。
このゲート装置１は、遊園地や公園などの施設内への入場を規制するために、その入出路の両側に設置されるものであり、通路と平行に配置されたゲート本体１０に、ゲートの通過を規制するためのフラッパ２０を設けて構成される。一対のゲート本体１０、１０を通路の両側に設置することで、施設内への入場を許容するためのゲートが構成される。
【００１７】
ゲート本体１０は、通路に沿って延びる側面部１１、１２と、当該ゲートの通行人と対面することとなる正面部１３と、その背面側の背面部１４と、上面部１５と、設置面からの立ち上げ部１６と、によって構成される（図２を参照）。
ゲート本体１０の通路に面する側の内側面部１１には、フラッパ２０を収納するための凹部２１が設けられている（図３を参照）。この凹部２１の横方向中央部に枢止部２２が設けられており、その枢止部２２に、フラッパ２０が回動可能に取り付けられる（図４を参照）。
【００１８】
ゲート本体１０の内側及び外側の側面部１１，１２は略楕円形状であり、正面部１３の側の中央から上面部１５側にかけての稜線（Ｗ）が、側面視において湾曲状になっている。外側面部１２の湾曲部Ｗから正面部１３を経て内側面部１１に至る領域（湾曲面Ｒ）に、施設内への入場を案内するための案内表示１７が設けられる（図５を参照）。
即ち、ゲートに向かって歩を進める通行人が対面することとなる正面部１３の中央から上面部１５に向けての湾曲面Ｒに、進行方向を示すための案内表示１７を設けることで、当該ゲートにおける進行方向が瞬時に理解できるようにしている。
【００１９】
この案内表示１７は、背面部１４に向けて先細りする先細り部１７ａを有する形状であることが好ましく、矢印に限らず、図６（ａ）に示すように三角形や、図６（ｂ）に示す逆ハート型などの方向性を感じ取ることができる形状が採択可能である。
また、図６（ｃ）に示すように、同一形状の表示１８を等間隔に設けることによって案内表示を構成してもよい。この表示１８は、当該施設がターゲットとする需要者層を考慮し、その入場を誘引するような図形であることが好ましく、例えば、同一形状のシールを等間隔に貼ることで構成することも可能である。
【００２０】
一方のゲート本体１０の正面部１３には、改札操作を行うための改札操作部１９が設けられている。この改札操作部１９は、入場券などのカードに保持された情報を読み取るために構成されたものであれば、カードを挿入するための挿入口を備えたものであってもよいし、バーコード等を読み取るための光学的センサを備えた非接触式のもの、或いは接触式のものであってもよい。改札操作部１９の読取方法も如何なるものであってもよい。カードリーダーにシャッター（フラッパ２０）が電気的に接続されることで、読み取られたカード情報に基づいて通行の許否が判定され、フラッパ２０の開閉が制御される。
【００２１】
ゲートの手前で対面することとなる正面部１３の湾曲面Ｒに改札操作部１９を設けたので、改札操作の方法、その操作部位を事前に理解することができる。
即ち、カードを挿入口に挿入するのか、バーコード部位をかざすのか、接触させるのか等、改札のための操作を事前に知っておくことができるので、ゲートに進入してから改札方法を理解したり、そのための操作部位を捜したりする必要がない。
【００２２】
ゲート本体１０の下端部には、設置部３０から上方に向けて立ち上がる矩形状の立ち上げ部１６が設けられている。この立ち上げ部１６の内側面に、フラッパ２０の開放維持時間を制御するための通過センサＳが設けられる（図３を参照）。
通過センサＳの前後には、複数のＬＥＤライトが並べて取り付けられている。このＬＥＤライトは、フラッパ２０の開放に合わせて点灯されるようになっており、通路に照射された光が通行人に反射することで、美しいシルエットが形成されるようになっている。複数のＬＥＤライトは、黄、赤、青、緑などの異なる色のライトを並べて配置してもよいし、同一の色彩としてもよい。ゲートごとに色彩を異ならせてもよいし、日や時間によって色彩を異ならせてもよい。通路開放中、点灯が維持されるようにしてもよいし、点滅させるようにしてもよい。
【００２３】
バックライトによってシャッター（フラッパ２０）の映像を映し出してもよい。足元に通行方向を示す表示が現れるようにしたり、道や橋をイメージさせる映像が現れるようにすれば、「ゲートを通過する」という行為自体に楽しみを与えることができる。
通過センサＳ自体を有色のＬＥＤライトとすることも可能である。通過センサＳは、通過物の接地状態を検出することができるように、複数の光センサを所定間隔で配した構成とする。センサ間の間隔を適宜設定することで、それぞれのセンサからの情報に基づいて、人の脚部のような非連続の接地状態か、車輪のように連続的な接地状態かを判断することができる。これによって、ベビーカーやキャリーバックを押しながらゲートを通過している場合は、それを検知することができ、それに応じてゲートの開放維持時間を長くすることが可能となる。
【００２４】
上記構成のゲート装置１の使用状態を説明する。
ゲートを目指して歩を進める通行人は、最初にゲート本体１０の外側面部１２又は正面部１３を視認することとなるが、この際、ゲート本体１０の最初に目につく部位（外側面における正面部から上面部にかけての稜線）を湾曲状のラインとしたことで、そのラインを見ながらゲートを通過させることで、施設内部へとスムーズに導くことができる。そのため、「通行が拒否されるかもしれない」という不安感や、ゲート本来の機能からくる威圧感を通行人に感じさせずに施設内へと導くことができる。
【００２５】
この最初に目につく部位（ゲート本体１０の正面部１３の中間部から上面部１５に向かう湾曲部Ｗ）に案内表示１７を設けたので、当該ゲートにおける進行方向を瞬時に理解することができる。
特に、この案内表示１７を、同一形状の表示１８を湾曲面Ｒ上に等間隔に設けることによって構成したので、正面から見た際に、その表示１８が上方に向かうにつれて縮んでいくように視認される。ゲート内に進入した際には、歩を進めるごとに伸びてゆく形状に視認される。
【００２６】
即ち、正面から見た際に、奥に行くほど案内表示が段階的に縮んでいくように見えるので、文字を理解することができない者であっても、当該ゲートにおける進行方向を直観的に理解することができる。
湾曲面Ｒにおける案内表示を、イベント内容を暗示するようなシールによって構成すれば、そのシールを等間隔に貼付することで、シール形状の段階的な変化を楽しむことができ、そのイベントへの期待感を抱かせることができる（図７を参照）。「ゲートを通過する」という行為自体に楽しみを与えることができるので、「また訪れたい」という感情を抱かせることが可能となる。  
【００２７】
ゲートに進入しようとする際には、予め入場券などのカード媒体を準備しておく必要があるが、この際、カード情報を読み取らせるための改札操作部１９がゲート正面に見えているので、改札のための操作方法を事前に知ることができる。
そのため、ゲートに進入した際に、「カードをどこに挿入するのか、或いはカードをかざせばよいのか」といった戸惑いが生じることはない。
【００２８】
また、改札操作部１９が、ゲート本体１０の正面部１３の中央から上方に向けての湾曲面Ｒに設けられているので、歩きながらの自然な姿勢で改札操作を行うことができる。
初めてのゲートを通過する際に抱きがちな「改札方法が解らない」という不安が生じない上、自然な姿勢でゲートでの改札操作を行うことができるので、ゲート通過が円滑なものとなり、改札時の混雑が低減する。
【００２９】
ベビーカーやキャリーバッグなど、車輪を有する物と共にゲートを通過する際には、センサＳによってそれが検出され、それに応じてフラッパ２０の開放維持時間が設定される。
即ち、ゲート本体の内側面の下端部に通過センサＳが設けられているので、通過物の接地状態（ゲートを通過する人の間隔、その人の歩幅、車輪の有無など）を検出することが可能となり、それに基づいてゲートを通過する人の手荷物の状態を検知することができる。
【００３０】
通行人がベビーカーやキャリーバッグなどを携えていると判断された際には、それが通り過ぎるまでフラッパ２０の開放を維持させておくことができるので、通行途中にゲートが閉じてしまうというトラブルが防止される。
また、ゲートを通過する人の間隔によって込み具合を判定し、それに応じて当該ゲートにおける通行方向を変更したり、不要なゲートを閉鎖したりすることも可能となる。  
特に、通過センサＳの前後にＬＥＤライトを設けたので、そのライトが通行人に反射することで、ゲート自体を美的空間として機能させることができる。ＬＥＤライトの反射によって通行人の存在を知ることができるので、それぞれのゲートにおける込み具合、トラブルの有無などを、離れた場所から把握することができる。
【００３１】
本実施形態に係るゲート装置１は、通路の両側にゲート本体１０、１０を配置したが、図７（ａ）に示すゲート装置１’のように、通路の片側にのみゲート本体１０を配置したものであってもよい。また、使用していないゲートが存在する場合は、そのゲート本体１０の正面部１３の湾曲面に、当該ゲートが閉鎖中であることを示す表示１７’（例えばシール）を、適宜取り付けるようにしてもよい。閉鎖中のゲートの改札操作部１９の上から、閉鎖中であることを示すシールを貼付すれば、当該ゲートが閉鎖中であることを瞬時に理解させることができる。
この場合の表示１７’も、同一形状を等間隔に設けた表示とすることで、奥に行くほど段階的に縮んで見えるようにするのが好ましい。これによって、ゲートが閉鎖していることに対する不快感を和らげることができる。
【００３２】
図７（ｂ）に示すゲート装置１”のように、ゲート本体１０’の両側面１１’，１２’にフラッパ２０、２０’を設けてもよい。チケットの種類に応じた改札操作部１９’、１９”を有するゲート装置１”、１”を準備し、それを並べて設置すれば改札能力が倍増する。
それぞれのゲート装置１”，１”の正面部１３の湾曲面Ｒに、その対象者を示すための表示１８’、１８”を設けておくことで、自身が通過すべきゲートへと円滑に導くことができる。
この際の表示として最適な図形を決定する際には、湾曲面Ｒの曲率に応じた視覚的変化を考慮するのが好ましい。これによって、ゲートを選択すること自体に楽しみを与え、「また訪れたい」という気持ちを起こさせることが可能となる。
【００３３】
なお、本実施形態に係るゲート装置１は台座３０ごと所望の場所に設置できるようにしたが、図８に示すゲート装置１０１のように固定式のものであってもよい。
また、図９に示すゲート装置２０１のように、湾曲部Ｗにおける内側面部２１１と正面部２１３との境界を曲面状にして手摺り部Ｔとしてもよい。手摺り部Ｔの表面性状を、例えば滑り止めの細かい凹凸を設ける等、改札操作部１９とは異なる手触りにすることで、目の不自由な人が改札操作に支障をきたすことがないよう設計する。
【００３４】
ゲート本体部１０に手を触れながら通過することの多い子供や高齢者にとって、心地よい手触り感を提供することで、当該施設に入場する際のワクワク感と、退場する際の「また訪れたい」という感情を抱かすことができる。
図１０に示すゲート装置３０１のように、ゲート本体側面を円形状にしてもよいし、図１１に示すゲート装置４０１のように、Ｕ字を上下反転させた形状にしてもよい。ゲート本体４１０の内側面部４１１の下端部に、通過センサＳを設け、そのセンサＳからの情報に基づいてフラッパ４２０の開放維持時間が設定されるようになっている。  
あるいは、図１２に示す固定式のゲート装置５０１のように、楕円を上半分に切断した形状のゲート本体側面部５１２とし、立上げ部５１６を縦方向に長い形状のものとしてもよい。図１３に示すゲート装置６０１のように、立上げ部６１６，６１６の下端部を設置面に固定し、地面から樹木がのびるようなデザインとしてもよい。
【００３５】
さらに、図１４に示すゲート装置７０１のように、ゲート本体７１０の正面部７１３の側にのみ湾曲部Ｗを設けてもよい。
図１５に示すゲート装置８０１のように、通路の片側にのみ設置される構造のものとし、正面部側の外側面部８１２にのみに湾曲部Ｗを設けてもよい。外側面部８１２の稜線を湾曲状に構成すると共に、フラッパ８２０に意匠性を持たせたことで、施設に入場する際にワクワク感を醸成させることができる。
或いは、図１６に示すように、意匠性の高いゲート装置９０１としてもよい。本実施例では、ゲート本体９１０の背面部９１４を樹木に模した形状とし、木製の門扉がイメージされるように、茶色のゲート本体９１０に、茶色のフラッパ９２０を取り付けた。
【産業上の利用可能性】
【００３６】
本発明は、通路に沿って配置される本体部を有するゲート装置であれば、全ての産業分野に利用されるゲート装置に適用することができる。
【符号の説明】
【００３７】
１…ゲート装置
１０…ゲート本体
１１、１２…側面部
１３…正面部
１４…背面図
１５…上面部
１６…立ち上げ部
１７…案内表示
１８…表示
１９…改札操作部
２０…フラッパ
３０…設置部
Ｗ…湾曲部
Ｒ…領域
Ｓ…通過センサ
【図１】
2019016176.tif 000003
【図２】
2019016176.tif 000004
【図３】
2019016176.tif 000005
【図４】
2019016176.tif 000006
【図５】
2019016176.tif 000007
【図６】
2019016176.tif 000008
【図７】
2019016176.tif 000009
【図８】
2019016176.tif 000010
【図９】
2019016176.tif 000011
【図１０】
2019016176.tif 000012
【図１１】
2019016176.tif 000013
【図１２】
2019016176.tif 000014
【図１３】
2019016176.tif 000015
【図１４】
2019016176.tif 000016
【図１５】
2019016176.tif 000017
【図１６】
2019016176.tif 000018